(57)【要約】      （修正有）【課題】リュックサック等を背負ったときにも視認性を確保できる衣服を提供する。【解決手段】ベスト１の左右のアームホール４には、肩部１ａから側方に延出するように、反射材付きの布パーツ５が取り付けられている。反射材付きの布パーツ５は、前端及び後端に向かって徐々に幅狭となる略半月形状を呈する。リュックサック等を背負ったときにも、反射材付きの布パーツ５がリュックサック等そのもの或いはその肩ベルトで覆い隠されることがない。これにより、リュックサック等を背負ったときにも視認性を確保することができる。【選択図】図１
0003195078.tif 000002
【実用新案登録請求の範囲】
【請求項１】
肩部から側方に延出するように設けられた、反射材付きの布パーツを備えたことを特徴とする衣服。
【請求項２】
前記反射材付きの布パーツは、脱着可能な脱着部材を用いて該衣服に取り付けられることを特徴とする請求項１に記載の衣服。
【請求項３】
前記反射材付きの布パーツは、肩部の前後で分割された、前側の布パーツと後側の布パーツとからなることを特徴とする請求項１又は２に記載の衣服。
【請求項４】
該衣服はベストであり、前記反射材付きの布パーツがアームホールに取り付けられることを特徴とする請求項１乃至３のいずれか１項に記載の衣服。
【考案の詳細な説明】
【技術分野】
【０００１】
本考案は、反射材を備えた衣服に関する。
【背景技術】
【０００２】
夜間や暗所での作業員の存在を示すために、視認性を上げるべく反射材を設けた衣服が提案されている（例えば特許文献１を参照のこと）。特許文献１では主に工事現場において作業員が着用することを想定しているが、例えば夜間に歩行したり、自転車に乗ったりする人が着用する衣服や、子供用の衣服等においても、視認性を上げるべく反射材を設けたものが実用化されている。
【先行技術文献】
【特許文献】
【０００３】
【特許文献１】実用新案登録第３１７５４９８号公報
【考案の概要】
【考案が解決しようとする課題】
【０００４】
特許文献１にあるように、衣服の胴周りにベルト状の反射材を配置し、また、背部から両肩部を通って前部にかけてベルト状の反射材を配置する例が知られている。
しかしながら、リュックサックやランドセル（以下、リュックサック等と記す）を背負ったときに、リュックサック等そのものにより背部側の反射材が覆い隠されたり、リュックサック等の肩ベルトが両肩にかかって、肩部を通る反射材が覆い隠されたりすることがある。
【０００５】
本考案は上記のような点に鑑みてなされたものであり、リュックサック等を背負ったときにも視認性を確保できるようにすることを目的とする。
【課題を解決するための手段】
【０００６】
本考案の衣服は、肩部から側方に延出するように設けられた、反射材付きの布パーツを備えたことを特徴とする。
また、本考案の衣服の他の特徴とするところは、前記反射材付きの布パーツは、脱着可能な脱着部材を用いて該衣服に取り付けられる点にある。
また、本考案の衣服の他の特徴とするところは、前記反射材付きの布パーツは、肩部の前後で分割された、前側の布パーツと後側の布パーツとからなる点にある。
また、本考案の衣服の他の特徴とするところは、該衣服はベストであり、前記反射材付きの布パーツがアームホールに取り付けられる点にある。
【考案の効果】
【０００７】
本考案によれば、反射材付きの布パーツが肩部から側方に延出しているので、リュックサック等を背負ったときにも、反射材付きの布パーツがリュックサック等そのもの或いはその肩ベルトで覆い隠されることがない。これにより、リュックサック等を背負ったときにも視認性を確保することができる。
【図面の簡単な説明】
【０００８】
【図１】実施形態に係るベストの前身頃側を示す図である。
【図２】実施形態に係るベストの後身頃側を示す図である。
【図３】実施形態に係るベストの要部の拡大図である。
【考案を実施するための形態】
【０００９】
以下、添付図面を参照して、本考案の好適な実施形態について説明する。
図１、図２に、実施形態に係る衣服であるベストを示す。なお、本願でいう前後左右や側方は、衣服を着用した人物から見た方向をいうものとする。
図１、図２に示すように、ベスト１の胴周りに１本のベルト状の反射材２が配置、縫合されている。胴回りに反射材２を配置することにより、３６０度あらゆる方向からの視認性を確保することができる。
また、背部から両肩部１ａを通って前部にかけてベルト状の反射材３が配置、縫合されている。両肩部１ａを通るように反射材３を配置することにより、着用者がしゃがんだり、自転車等に乗る姿勢をとったりしたときにも視認性を確保することができる。
【００１０】
さらに、左右のアームホール４には、肩部１ａから側方に延出するように、反射材付きの布パーツ５が取り付けられている。反射材付きの布パーツ５は、前端及び後端に向かって徐々に幅狭となる略半月形状を呈する。
【００１１】
反射材付きの布パーツ５は、図３に示すように、肩部１ａの前後で分割された、前側の布パーツ５ａと後側の布パーツ５ｂとからなる。図３は、図１のIII方向から見て展開した状態を示す。前側の布パーツ５ａと後側の布パーツ５ｂとは、それぞれ独立にアームホール４に縫合される。この場合に、前側の布パーツ５ａの端部と後側の布パーツ５ｂの端部とが重なるように配置され、端部同士は縫合しないで、単に重なるようにする。これにより、前側の布パーツ５ａと後側の布パーツ５ｂとの間を開くことができる。このように反射材付きの布パーツ５を肩部１ａの前後で分割し、開くようにすることで、腕を上げやすく、また、腕を上げたときにベスト１の形状が大きく変化したり、ずれ上がったりするのを防ぐことができる。
もちろん、１枚の布パーツで反射材付きの布パーツ５を構成するようにしてもかまわない。この場合にも、反射材付きの布パーツ５にスリットを入れておけば、腕を上げやすく、また、腕を上げたときにベスト１の形状が大きく変化したり、ずれ上がったりするのを防ぐことができる。
【００１２】
また、反射材付きの布パーツ５はアームホール４に縫合や接着してもよいが、ベスト１から取り外し可能としてもよい。例えば反射材付きの布パーツ５を、スナップボタンやファスナ等の脱着可能な脱着部材を用いてアームホール４に取り付けるようにすればよい。これにより、昼間や明所で着用したり、ベスト１を洗濯したりするときには、反射材付きの布パーツ５を取り外すことができる。
【００１３】
また、反射材付きの布パーツ５は、肩部１ａから側方に突出するように形状を維持するある程度硬めの布が好ましいが、肩部１ａから垂れ下がって上腕に接するような軟らかめの布でもよい。
【００１４】
なお、反射材２、３や、反射材付きの布パーツ５の反射材としては、例えば入射光を光源の方向にまっすぐ戻す再帰性反射を実現する再帰性反射材を用いればよい。
【００１５】
以上のようにしたベスト１では、反射材付きの布パーツ５が両肩部１ａから側方に延出しているので、リュックサック等を背負ったときにも、反射材付きの布パーツ５がリュックサック等そのもの或いはその肩ベルトで覆い隠されることがない。これにより、リュックサック等を背負ったときにも視認性を確保することができる。
【００１６】
以上、本考案を実施形態とともに説明したが、本考案はこれらの実施形態にのみ限定されるものではなく、本考案の範囲内で変更等が可能である。
例えば上記実施形態では本考案を適用した衣服としてベスト（袖のない胴着）を例としたが、それに限定されるものではない。例えば本考案を袖のある胴着に適用して、袖とは別に反射材付きの布パーツ５をアームホール４に取り付けて、両肩部１ａから側方に延出するようにしてもよい。
また、図１、図２に示す反射材２、３の配置等は一例であり、限定されるものではない。
【符号の説明】
【００１７】
１：ベスト
２、３：反射材
４：アームホール
５：反射材付き布パーツ
５ａ：前側の布パーツ
５ｂ：後側の布パーツ
【図１】
0003195078.tif 000003
【図２】
0003195078.tif 000004
【図３】
0003195078.tif 000005